(57)【要約】【課題】配電線を流れる高調波信号による通信品質の低下を抑制することができるようにした配電線搬送通信用受信装置を提供する。【解決手段】配電線から検出部１により検出した信号をハイパスフィルタ２に通して商用周波数成分を除去した後、Ａ／Ｄ変換部３により得たデジタル信号をＦＳＫ復調部４に与えて復調を行なう配電線搬送通信に用いる受信装置において、デジタル信号に含まれる高調波成分を検出する高調波成分検出部６と、フィルタ機能をオンオフすることができる高調波阻止フィルタ部５と、高調波成分検出部６によりＦＳＫ復調部４への入力を阻止する必要がある高調波成分が検出されているときに、高調波阻止フィルタ部５のフィルタ機能をオン状態にし、阻止する必要がある高調波成分が検出されていないときには、フィルタ機能をオフ状態にするように高調波阻止フィルタ部５を制御する制御部７とを設けた。【選択図】    図１
2012156844.tif 000002
【特許請求の範囲】
【請求項１】
ＦＳＫ変調信号を含む交流電流が流れる配電線から前記交流電流を検出する検出部と、前記検出部の出力から商用周波数成分を除去するハイパスフィルタと、前記ハイパスフィルタの出力をデジタル信号に変換するＡ／Ｄ変換部と、前記Ａ／Ｄ変換部から得られるデジタル信号を入力として、該デジタル信号に含まれるＦＳＫ変調信号の復調を行うＦＳＫ復調部とを備えた配電線搬送通信用受信装置において、
フィルタ機能をオンオフし得るように構成されて、前記Ａ／Ｄ変換部と前記ＦＳＫ復調部との間に挿入された高調波阻止フィルタ部と、前記Ａ／Ｄ変換部が出力するデジタル信号に高速フーリエ変換処理を施して前記デジタル信号に含まれる高調波成分を検出する高調波成分検出部と、前記高調波成分検出部による高調波成分の検出結果に応じて前記高調波阻止フィルタ部を制御する制御部とを具備し、
前記高調波阻止フィルタ部は、前記ＦＳＫ変調部に与えると該ＦＳＫ復調部にエラーを生じさせるおそれがある高調波成分を阻止対象高調波成分として、フィルタ機能がオン状態にあるときに前記Ａ／Ｄ変換部から与えられるデジタル信号に含まれる各阻止対象高調波成分の通過を阻止する阻止帯域幅が狭い帯域阻止フィルタとして機能し、フィルタ機能がオフ状態にあるときには、前記Ａ／Ｄ変換部から与えられるデジタル信号をそのまま前記ＦＳＫ復調部に与えるように構成され、
前記制御部は、前記高調波成分検出部により設定レベル以上の前記阻止対象高調波成分が検出されているときに、検出されている阻止対象高調波成分を阻止する前記高調波阻止フィルタ部のフィルタ機能をオン状態にし、前記高調波成分検出部により設定レベル以上の前記阻止対象高調波成分が検出されていないときには該阻止対象高調波成分を阻止する前記高調波阻止フィルタ部のフィルタ機能ををオフ状態にするように、前記高調波成分検出部の検出結果に応じて前記高調波阻止フィルタを制御すること、
を特徴とする配電線搬送通信用受信装置。
【請求項２】
前記高調波阻止フィルタ部は、前記配電線を流れる電流に含まれることが想定される複数の阻止対象高調波成分のそれぞれを阻止するノッチフィルタを少なくとも一つずつ含む複数のノッチフィルタを有して、該複数のノッチフィルタを直列に接続した構成を有し、
各ノッチフィルタは、フィルタ機能を有効とするオン状態と、フィルタ機能を停止して入力信号をバイパスさせるオフ状態とを切換えることができるように構成され、
前記制御部は、前記高調波成分検出部が検出している阻止対象高調波成分のレベルが設定レベル以上であるときに該阻止対象高調波成分を阻止するノッチフィルタの少なくとも一つをオン状態にし、他のノッチフィルタをオフ状態にするように構成されていること、
を特徴とする請求項１に記載の配電線搬送通信用受信装置。
【請求項３】
前記各阻止対象高調波成分を阻止するノッチフィルタは複数設けられ、
前記制御部は、前記高調波成分検出部が検出している阻止対象高調波成分に対応するノッチフィルタをオン状態にする際に、該阻止対象高調波成分のレベルに応じてオン状態にするノッチフィルタの数を変えるように構成されていること、
を特徴とする請求項２に記載の配電線搬送通信用受信装置。
【発明の詳細な説明】
【技術分野】
【０００１】
本発明は、配電系統において、変電所の親局と柱上等に設けられた子局との間、または柱上等に設けられた子局どうしの間で配電線を通して通信を行う配電線搬送通信に用いる受信装置に関するものである。
【背景技術】
【０００２】
配電自動化システムにおいては、変電所に親局を設置し、柱上等に子局を設置して、親局と各子局との間、または子局どうしの間で通信を行っている。通信を専用線を用いて行うこともあるが、場所によっては、通信路として配電線自体を用いる配電線搬送により通信を行うことがある。
【０００３】
デジタル信号を搬送する配電線搬送通信においては、変調方式として、０と１をそれぞれ異なる周波数ｆ0及びｆ1に割り当てるＦＳＫ（Frequency-Shift Keying）変調が用いられることが多い。ＦＳＫ変調を採用した配電線搬送通信に用いる受信装置は、特許文献１に示されているように、配電線から変流器を通して検出したＦＳＫ変調信号（ＦＳＫ変調された信号）をＡ／Ｄ変換器によりデジタル信号に変換し、このデジタル信号をデジタルバンドパルフィルタに入力してＦＳＫ変調された信号成分を取り出し、復調回路に入力してＦＳＫ変調信号の復調を行うように構成されている。
【先行技術文献】
【特許文献】
【０００４】
【特許文献１】特開平５−２６８１２５号公報
【発明の概要】
【発明が解決しようとする課題】
【０００５】
配電線に接続されている高調波発生機器が発生する高調波信号のレベルが基準以下に抑制されていて、配電線搬送通信に用いる受信装置が受信するノイズ信号のうち、除去すべきノイズ信号が実質的に５０Ｈｚまたは６０Ｈｚの商用周波数の信号のみである場合には、ＦＳＫ変調信号の周波数ｆ0，ｆ1を商用周波数よりも十分に高く設定しておけば、配電線から検出した信号をフィルタに通すことにより、ノイズ信号を除去してＦＳＫ変調信号のみを取り出すことができ、ＦＳＫ復調部での復調を正確に行わせて、復調の際のエラー発生率を低くすることができる。
【０００６】
しかしながら、配電線に接続されている高調波発生機器が基準を超えるレベルの高調波を発生している場合には、受信装置が受信するノイズ信号の中に、商用周波数の信号に加えて高レベルの高調波信号が含まれることになる。これらのノイズ信号のうち、商用周波数の信号は、フィルタにより容易に除去することができるが、高調波信号は、その周波数がＦＳＫ変調信号の周波数成分ｆ0，ｆ1の近傍に存在することがあるため、フィルタでは容易に除去できないことがある。高調波信号を除去することができないと、除去されなかった高調波信号がＦＳＫ変調信号と干渉して通信速度を低下させたり、復調の際のエラー発生率を増大させたりすることがあるため、通信の品質が低下するのを避けられない。
【０００７】
本発明の目的は、配電線を流れる高調波信号により通信速度が低下したり復調の際のエラー発生率が増大したりするのを防いで、通信品質の向上を図ることができるようにした配電線搬送通信用受信装置を提供することにある。
【課題を解決するための手段】
【０００８】
本発明は、ＦＳＫ変調信号を含む交流電流が流れる配電線から前記交流電流を検出する検出部と、検出部の出力から商用周波数成分を除去するハイパスフィルタと、ハイパスフィルタの出力をデジタル信号に変換するＡ／Ｄ変換部と、Ａ／Ｄ変換部から得られるデジタル信号を入力として、該デジタル信号に含まれるＦＳＫ変調信号の復調を行うＦＳＫ復調部とを備えた配電線搬送通信用受信装置を対象とする。
【０００９】
本発明においては、フィルタ機能をオンオフし得るように構成されて、Ａ／Ｄ変換部とＦＳＫ復調部との間に挿入された高調波阻止フィルタ部と、Ａ／Ｄ変換部が出力するデジタル信号に高速フーリエ変換処理を施してデジタル信号に含まれる高調波成分を検出する高調波成分検出部と、高調波成分検出部による高調波成分の検出結果に応じて高調波阻止フィルタ部を制御する制御部とが設けられる。
【００１０】
ここで、高調波阻止フィルタ部は、ＦＳＫ変調部に与えると該ＦＳＫ復調部にエラーを生じさせるおそれがある高調波成分を阻止対象高調波成分として、フィルタ機能がオン状態にあるときにＡ／Ｄ変換部から与えられるデジタル信号に含まれる各阻止対象高調波成分の通過を阻止する阻止帯域幅が狭い（Ｑが高い）帯域阻止フィルタとして機能し、フィルタ機能がオフ状態にあるときには、Ａ／Ｄ変換部から与えられるデジタル信号をそのままＦＳＫ復調部に与えるように構成される。
【００１１】
また制御部は、高調波成分検出部により設定レベル以上の阻止対象高調波成分が検出されているときに、検出されている阻止対象高調波成分を阻止する高調波阻止フィルタ部のフィルタ機能をオン状態にし、高調波成分検出部により設定レベル以上の阻止対象高調波成分が検出されていないときには、該阻止対象高調波成分を阻止する高調波阻止フィルタ部のフィルタ機能をオフ状態にするように、高調波成分検出部の検出結果に応じて前記高調波阻止フィルタを制御する。
【００１２】
上記のように構成すると、配電線に基準を超える高レベルの高調波信号が流れているときに、該高調波成分を阻止する高調波阻止フィルタ部５のフィルタ機能をオン状態にして、ＦＳＫ復調部にエラーを生じさせるおそれがある高調波成分を除去することができるため、ＦＳＫ復調部が高調波信号により誤動作するのを防いで、エラー発生率の低減を図ることができる。
【００１３】
しかし、ＦＳＫ復調部の前段にＱが高い高調波阻止フィルタを設けると、通信速度が低下するのを避けられないため、ＦＳＫ復調部の前段にＱが高い高調波阻止フィルタを常時設けておくことは好ましくない。そこで、本発明では、高調波成分検出部により設定レベル以上の阻止対象高調波成分が検出されていないときに、高調波阻止フィルタ部のフィルタ機能をオフ状態にして、Ａ／Ｄ変換部から与えられるデジタル信号をそのままＦＳＫ復調部に与えるようにしている。
【００１４】
このように構成しておくと、配電線にＦＳＫ復調部を誤動作させるおそれがある高調波信号電流が流れていないときに、高調波阻止フィルタの存在により通信速度が低下するのを防ぐことができる。一般に、市販の高調波発生機器は、配電線に流出する高調波成分のレベルを基準以下に抑えることを定めたガイドラインに準拠して製作されているので、ＦＳＫ復調部に誤動作を生じさせるおそれがあるレベルの高調波成分が常時配電線を流れているわけではない。従って、配電線搬送通信用の受信装置が、復調部に誤動作を生じさせるおそれがあるレベルの高調波信号を受信する時間は、そのような高調波信号を受信しない時間にくらべて短いのが普通である。従って本発明のように構成すれば、通信速度の平均値を高い状態に保って、エラー発生率の低減を図ることができる。
【００１５】
本発明の好ましい態様では、高調波阻止フィルタ部が、配電線を流れる電流に含まれることが想定される複数の阻止対象高調波成分のそれぞれを阻止するノッチフィルタを少なくとも一つずつ含む複数のノッチフィルタを有して、該複数のノッチフィルタを直列に接続した構成を有している。この場合、各ノッチフィルタは、フィルタ機能を有効とするオン状態と、フィルタ機能を停止して入力信号をバイパスさせるオフ状態とを切換えることができるように構成されている。また制御部は、高調波成分検出部が検出している阻止対象高調波成分のレベルが設定レベル以上であるときに該阻止対象高調波成分を阻止するノッチフィルタの少なくとも一つをオン状態にし、他のノッチフィルタをオフ状態にするように構成されている。
【００１６】
本発明の他の好ましい態様では、各阻止対象高調波成分を阻止するノッチフィルタが複数個設けられ、制御部は、高調波成分検出部が検出している阻止対象高調波成分に対応するノッチフィルタをオン状態にする際に、該阻止対象高調波成分のレベルに応じてオン状態にするノッチフィルタの数を変えるように構成されている。
【００１７】
上記のように構成すると、Ａ／Ｄ変換部とＦＳＫ復調部との間に設けるノッチフィルタを機能させる際に、機能するノッチフィルタの数を必要最小限とすることができるため、ノッチフィルタを機能させる際の通信速度の低下を必要最小限に抑えることができる。
【００１８】
なお本発明におけるＦＳＫ変調は、変調指数を0.5として行うＦＳＫ変調であるＭＳＫ変調を含むものとする。
【発明の効果】
【００１９】
本発明によれば、ＦＳＫ復調部が誤動作するおそれがある高レベルの高調波信号が受信されたときに、ＦＳＫ復調部の前段に設けた高調波阻止フィルタ部をオン状態にすることにより、高調波信号によりＦＳＫ復調部が誤動作するの防いで高調波信号発生時のエラー発生率を低減し、ＦＳＫ復調部が誤動作するおそれがある高調波信号が受信されていないときには、高調波阻止フィルタ部のフィルタ機能をオフ状態にして、Ａ／Ｄ変換部から与えられる信号をそのままＦＳＫ復調部に与えることにより、通信速度の低下を防ぐようにしたので、通信速度の平均値を高い状態に保って、復調の際のエラー発生率の低減を図ることができ、通信品質の向上を図ることができる。
【図面の簡単な説明】
【００２０】
【図１】本発明に係わる受信装置の一実施形態の構成を示したブロック図である。
【図２】配電線搬送通信において受信装置で受信される信号の周波数スペクトルの一例を示した波形図である。
【図３】本発明に係わる受信装置において、高調波成分検出部により検出される周波数成分のスペクトル分布の一例を示したスペクトルダイアグラムである。
【発明を実施するための形態】
【００２１】
以下図面を参照して本発明の一実施形態を説明する。図１は、本発明に係わる受信装置の一実施形態の構成を概略的に示したもので、同図において、１は、ＦＳＫ変調信号を含む交流電流が流れる図示しない配電線から交流電流を検出する検出部で、この検出部は、例えば、配電線に装着された変流器（ＣＴ）により構成される。２は検出部１の出力から商用周波数成分のノイズを除去するハイパスフィルタ、３はハイパスフィルタ２の出力をデジタル信号に変換するＡ／Ｄ変換部である。
【００２２】
また４はＡ／Ｄ変換部から得られるデジタル信号を入力として、該デジタル信号に含まれるＦＳＫ変調信号の復調を行うＦＳＫ復調部、５はフィルタ機能をオンオフし得るように構成されて、Ａ／Ｄ変換部３とＦＳＫ復調部４との間に挿入された高調波阻止フィルタ部である。
【００２３】
高調波阻止フィルタ部５は、Ａ／Ｄ変換部３からＦＳＫ変調部４に与えられるデジタル信号に含まれる高調波成分のうち、ＦＳＫ復調部４に与えられると該復調部にエラーを生じさせるおそれがある高調波成分を阻止対象高調波成分として、フィルタ機能がオン状態にあるときにＡ／Ｄ変換部から与えられるデジタル信号に含まれる各阻止対象高調波成分の通過を阻止する阻止帯域幅が十分に狭い（Ｑが高い）帯域阻止フィルタとして機能し、フィルタ機能がオフ状態にあるときには、Ａ／Ｄ変換部３から与えられるデジタル信号をそのままＦＳＫ復調部４に与えるように構成されている。
【００２４】
図示の高調波阻止フィルタ部５は、配電線を流れる電流に含まれることが想定される複数の阻止対象高調波成分のそれぞれを阻止するノッチフィルタを少なくとも一つ含む複数のノッチフィルタＮ11，Ｎ12，Ｎ21及びＮ22を備えて、これらのノッチフィルタＮ11，Ｎ12，Ｎ21及びＮ22を直列に接続した構成を有している。
【００２５】
本実施形態では、デジタル信号の状態０及び１にそれぞれ搬送周波数ｆcよりもΔｆだけ低い周波数ｆ0（＝ｆc−Δｆ）、及び搬送周波数ｆcよりもΔｆだけ高い周波数ｆ1（＝fc＋Δｆ）を割り当てて、図示しない送信装置で、デジタル信号の状態が０であるときに搬送周波数ｆcを−Δｆだけ偏倚させ、デジタル信号の状態が１であるときに搬送周波数ｆｃを＋Δｆだけ偏倚させることによりＦＳＫ変調信号を得る。このＦＳＫ変調信号は、図示しない送信装置内の変調器で生成されて配電線に注入される。
【００２６】
本実施形態においては、商用周波数を６０Ｈｚとし、搬送周波数ｆcを４５０Ｈｚ、Δｆを１５Ｈｚとして、デジタル信号の状態が０であるときに周波数を４３５Ｈｚとし、デジタル信号の状態が１であるときに周波数を４６５ＨｚとしてＦＳＫ変調信号を得る。
【００２７】
この場合、検出部１により検出される信号には、図２に示したように、ＦＳＫ変調信号の周波数成分４３５Ｈｚ及び４６５Ｈｚの他に、ノイズ信号として、商用周波数６０Ｈｚの信号と、商用周波数の高調波信号とが含まれる。ＦＳＫ変調信号の周波数成分を４３５Ｈｚ及び４６５Ｈｚとした場合、これらの周波数成分の近傍には、商用周波数の第７高調波ｆh７（４２０Ｈｚ）の信号及び第８高調波ｆh8（４８０Ｈｚ）の信号が現れる。
【００２８】
この場合、６０Ｈｚのノイズ周波数成分は、検出部１から得られる信号をハイパスフィルタ２に通すことにより除去することができるが、ＦＳＫ変調信号の周波数成分４３５Ｈｚ及び４６５Ｈｚに近接しているノイズ周波数４２０Ｈｚ及び４８０Ｈｚの成分は容易には除去することができない。図２に示されているように、ノイズ周波数４２０Ｈｚ及び４８０Ｈｚの信号レベルが高い場合には、ＦＳＫ変調部４でＦＳＫ変調信号の周波数成分とノイズ周波数成分とを弁別することができなくなって、ＦＳＫ変調信号の復調に誤りが生じるのを避けることができない。
【００２９】
そこで、本実施形態では、４２０Ｈｚ及び４８０Ｈｚのノイズ周波数成分を阻止対象高調波成分として、高調波阻止フィルタ部５でこれらのノイズ周波数成分を除去する処理を行なう。そのため、本実施形態では、４２０Ｈｚの阻止対象高調波成分を阻止するフィルタとして、デジタルフィルタからなるノッチフィルタＮ11，Ｎ12を用意し、４８０Ｈｚの阻止対象高調波成分を阻止するフィルタとして、デジタルフィルタからなるノッチフィルタＮ21及びＮ22を用意してこれらを直列に接続している。
【００３０】
各ノッチフィルタは、阻止対象高調波成分のみを阻止する阻止帯域幅が十分に狭い帯域阻止フィルタで，フィルタ機能をオンオフする機能を有している。各ノッチフィルタは、フィルタ機能がオン状態にあるときに阻止対象高調波成分の通過を阻止する帯域阻止フィルタとしての機能を果たし、フィルタ機能がオフ状態にあるときにフィルタ機能を停止して入力信号をバイパスさせるように構成されている。各ノッチフィルタのオンオフの切換はソフトウェア的に行なわれる。
【００３１】
高調波阻止フィルタ部５を制御するため、高調波成分検出部６と、制御部７とが設けられている。高調波成分検出部６は、Ａ／Ｄ変換部３が出力するデジタル信号に高速フーリエ変換（ＦＦＴ：Fast Fourier Transform）処理を施してデジタル信号に含まれる高調波成分を検出する部分である。受信装置が受信する信号に図２に示すような周波数成分が含まれている場合、高調波成分検出部６は、図３に示すように離散的な検出信号を出力する。
【００３２】
制御部７は、高調波成分検出部６による高調波成分の検出結果に応じて高調波阻止フィルタ部を制御する部分である。本実施形態で用いる制御部７は、高調波成分検出部６により設定レベル以上の阻止対象高調波成分が検出されているときに、検出されている阻止対象高調波成分を阻止する高調波阻止フィルタ部５のフィルタ機能をオン状態にし、高調波成分検出部６により設定レベル以上の阻止対象高調波成分が検出されていないときには該阻止対象高調波成分を阻止する高調波阻止フィルタ部５のフィルタ機能をオフ状態にするように、高調波成分検出部の検出結果に応じて高調波阻止フィルタ５を制御する。
【００３３】
制御部７はまた、高調波成分検出部６が検出している阻止対象高調波成分に対応するノッチフィルタをオン状態にする際に、阻止対象高調波成分のレベルが高い場合ほどフィルタ機能をオン状態にするノッチフィルタの数を多くするように(減衰量を多くするように）、阻止対象高調波成分のレベルに応じてオン状態にするノッチフィルタの数を変えるように構成されている。
【００３４】
図示の制御部７は、例えば、高調波成分検出部６で検出されている４８０Ｈｚの高調波成分のレベルは設定レベル（ＦＳＫ復調部の誤動作を生じさせるおそれがあるレベルの最低値）未満であるが、４２０Ｈｚの高調波成分が設定レベル以上であるときに、検出されている４２０Ｈｚの高調波成分のレベルの高低に応じて、ノッチフィルタＮ11及びＮ12の双方または一方のフィルタ機能をオン状態にし、ノッチフィルタＮ21及びＮ22のフィルタ機能をオフ状態にする。
【００３５】
また４２０Ｈｚの高調波成分のレベルは設定レベル未満であるが、４８０Ｈｚの高調波成分は設定レベル以上であることが検出されたときには、検出されている４８０Ｈｚの高調波成分のレベルの高低に応じて、ノッチフィルタＮ21及びＮ22の双方または一方のフィルタ機能をオン状態にし、ノッチフィルタＮ11及びＮ12のフィルタ機能をオフ状態にする。
【００３６】
更に、高調波成分検出部６で検出されている４２０Ｈｚの高調波成分及び４８０Ｈｚの高調波成分の双方のレベルが設定レベル以上であるときには、検出されているノイズ周波数成分のレベルに応じて、ノッチフィルタＮ11及びＮ12の一方または双方並びにノッチフィルタＮ21及びＮ22の一方または双方のフィルタ機能をオン状態にする。
【００３７】
高調波成分検出部６で、４２０Ｈｚの高調波成分及び４８０Ｈｚの高調波成分の双方のレベルが設定レベル未満であることが検出されている場合には、すべてのノッチフィルタＮ11，Ｎ12，Ｎ21及びＮ22のフィルタ機能をオフ状態にして、Ａ／Ｄ変換部３が出力するデジタル信号をそのままＦＳＫ復調部４に与える。
【００３８】
図１に示した受信装置においては、ＦＳＫ復調部４、高調波阻止フィルタ部５、高調波成分検出部６及び制御部７により復調装置８が構成されている。復調装置８の各部は、マイクロプロセッサまたは信号処理に特化したマイクロプロセッサであるＤＳＰ（Digital Signal Processor）に所定のプログラムを実行させることにより構成することができる。
【００３９】
上記のように構成すると、配電線に基準を超える高レベルの高調波信号電流が流れているときに、該高調波成分を阻止する高調波阻止フィルタ部５のフィルタ機能をオン状態にして、ＦＳＫ復調部にエラーを生じさせるおそれがある高調波成分を除去することができるため、ＦＳＫ復調部が高調波信号により誤動作するのを防いで、エラー発生率の低減を図ることができる。
【００４０】
また高調波成分検出部６により阻止対象高調波成分が検出されていないときには、高調波阻止フィルタ部５のフィルタ機能をオフ状態にして、Ａ／Ｄ変換部から与えられるデジタル信号をそのままＦＳＫ復調部に与えるので、配電線にＦＳＫ復調部４を誤動作させるおそれがある高調波信号電流が流れていないときに、高調波阻止フィルタ(ノッチフィルタ）の存在により通信速度が低下するのを防ぐことができる。
【００４１】
上記の実施形態では、４２０Ｈｚの高調波成分に対して２個のノッチフィルタＮ11及びＮ12を設け、４８０Ｈｚの高調波に対して２個のノッチフィルタＮ21及びＮ22を設けたが、これらのノッチフィルタの数は上記実施形態で示した例に限定されない。各阻止対象高調波成分に対してノッチフィルタを一つだけ設ける場合、及び各阻止対象高調波成分に対してノッチフィルタを３以上設ける場合も本発明の範囲に包含される。また配電系統の状況に応じて、阻止対象高調波成分毎にノッチフィルタの数を異ならせることもできる。
【産業上の利用可能性】
【００４２】
本発明に係わる受信装置は、ＦＳＫ変調信号を用いて配電線搬送通信を行なう配電系統に広く適用することができる。
【符号の説明】
【００４３】
１  検出部
２  ハイパスフィルタ
３  Ａ／Ｄ変換部
４  ＦＳＫ復調部
５  高調波阻止フィルタ部
６  高調波成分検出部
７  制御部
８  復調装置
Ｎ11，Ｎ12，Ｎ21，Ｎ22  ノッチフィルタ
【図１】
2012156844.tif 000003
【図２】
2012156844.tif 000004
【図３】
2012156844.tif 000005